(57)【要約】【課題】ブラケット本体とカバー体とを容易に取付けることのできる取付手段を提供する。【解決手段】前面に開口部２を有して、一端部に手摺り棒５０が取付けられ、且つ他端部が壁面Ａに固定されるブラケット本体３と、前記開口部２に着脱自在に取付けられるカバー体３０とを備え、ブラケット本体３の一端部に、カバー体３０に設けられた係入部３１を係入可能な係入孔５が形成されると共に、ブラケット本体３の他端部に、カバー体３０に設けられた係止片３３を係止可能な係止部１３が形成されている。【選択図】図３
2010070994.tif 000002
【特許請求の範囲】
【請求項１】
一端部に手摺り棒が取付けられると共に、他端部が壁面に固定され、且つ前面に開口部を有するブラケット本体と、
前記開口部に着脱自在に取付けられるカバー体と、を備え、
ブラケット本体の一端部に、カバー体に設けられた係入部を係入可能な係入孔が形成されると共に、ブラケット本体の他端部に、カバー体に設けられた係止片を係止可能な係止部が形成されてなることを特徴とする手摺りブラケット。
【請求項２】
前記カバー体が合成樹脂からなると共に、係止片が一体成形されてなる請求項１記載の手摺りブラケット。
【請求項３】
前記カバー体が金属からなると共に、該カバー体に係止片を備えた係止部材が着脱自在に設けられてなる請求項１記載の手摺りブラケット。
【請求項４】
前記ブラケット本体の他端部に、壁面に固定される筒状部が設けられると共に、該筒状部には、前記壁面に固定するための棒状の固定具が挿通される筒体が設けられてなる請求項１乃至３の何れか一つに記載の手摺りブラケット。
【発明の詳細な説明】
【技術分野】
【０００１】
本発明は、廊下や階段等の壁面に手摺り棒を設置するために用いられる手摺りブラケットに関する。
【背景技術】
【０００２】
従来、この種の手摺りブラケットとしては、例えば次のようなものが存在する。即ち、この従来のものは、一端部がビスにより壁面に固定され、且つ他端部に手摺り棒が取付けられる金属製のブラケット本体と、該ブラケット本体の前面側に開設された開口部に着脱自在に被着される合成樹脂製のカバー体とからなっている（特許文献１参照）。
【特許文献１】特開２００１−３２４９１号公報
【発明の開示】
【発明が解決しようとする課題】
【０００３】
しかしながら、上記従来の手摺りブラケットについては、カバー体はブラケット本体の開口部に被着する旨が開示されるに止まっており、該カバー体をブラケット本体の開口部に容易に且つ確実に取付けることができ、しかも簡易な構成からなる取付手段の開発が望まれていたのである。
【０００４】
また、前記ブラケット本体は、端部に設けた平板状の取付座を介して壁面に固定されるが、該取付座の肉厚は十分に確保されていない。このため、ビスで壁面に固定する際には、ブラケット本体及びビスの双方を保持しつつビスを壁面に固定しなければならず、現場に於ける作業が非常に厄介なものとなっていた。
【０００５】
それ故に、本発明はかかる点に鑑みてなされたものであり、その目的とするところは、ブラケット本体とカバー体とを容易に取付けることのできる取付手段を提供することにある。
【課題を解決するための手段】
【０００６】
本発明に係る手摺りブラケットは、前面に開口部を有して、一端部に手摺り棒が取付けられ、且つ他端部が壁面に固定されるブラケット本体と、前記開口部に着脱自在に取付けられるカバー体とを備え、ブラケット本体の一端部に、カバー体に設けられた係入部を係入可能な係入孔が形成されると共に、ブラケット本体の他端部に、カバー体に設けられた係止片を係止可能な係止部が形成されたものである。
【０００７】
これによると、例えばブラケット本体の一端部に手摺り棒を取付けると共に、他端部を壁面に固定した後、カバー体の係入部をブラケット本体の係入孔に係入した状態で、該ブラケット本体の係止部にカバー体の係止片を係止する。これにより、ブラケット本体の開口部を覆うようにカバー体を簡単に取付けることができる。一方、ブラケット本体の係止部とカバー体の係止片との係止状態を解除した後に、該カバー体の係入部をブラケット本体の係入孔から離脱させれば、カバー体をブラケット本体から取外すことも可能である。
【０００８】
また、前記カバー体を合成樹脂で構成すると共に、係止片を一体成形して設けてもよい。
【０００９】
これによれば、係止片はカバー体と一体成形されるので、別途係止片をカバー体に取付ける必要はなく、その係止片を前記ブラケット本体の係止部に係止すればカバー体をブラケット本体に取付けることができる。
【００１０】
更に、前記カバー体を金属から構成すると共に、該カバー体に係止片を備えた係止部材を着脱自在に設けるようにしてもよい。
【００１１】
これにより、ブラケット本体にカバー体を取付ける場合は、該カバー体に係止部材を取付け、その係止片をブラケット本体の係止部に係止させればよい。
【００１２】
このように、カバー体の材質の如何を問わず、カバー体のブラケット本体への取付手段を統一することにより、ブラケット本体を共用することが可能となる。その結果、カバー体の材質に応じてブラケット本体を別途製作する必要がなくなると共に、在庫管理の簡略化が図れることになる。
【００１３】
また、前記ブラケット本体の他端部に、壁面に固定される筒状部を設けると共に、該筒状部に、前記壁面に固定するための棒状の固定具が挿通される筒体を設けても構わない。
【００１４】
これによると、筒体に挿通された棒状の固定具により筒状部が壁面に固定されることになる。この場合に於いて、固定具は筒体によりその挿着状態が維持されるので、作業者は固定具を保持せずに固定作業を行うことが可能となる。その結果、作業の効率化が図れることになる。
【００１５】
また、本発明に係る手摺りブラケットは、全体の構成が極めて簡易であるために、その製作も容易で且つ安価に行うことができる。
【発明の効果】
【００１６】
以上のように、本発明によれば、カバー体をブラケット本体に簡単に取付けることができる。
【発明を実施するための最良の形態】
【００１７】
以下、本発明に係る手摺りブラケットの一実施形態について、図面に基づいて説明する。
【００１８】
図１は本実施形態に係る手摺りブラケットを示し、同図（ａ）は正面図で、同図（ｂ）が側面図である。かかる手摺りブラケット１は、図２に示すように前面に開口部２が形成された金属製のブラケット本体３と、この開口部２を覆うべくブラケット本体３に着脱自在に設けられる合成樹脂製のカバー体３０とを備えている。
【００１９】
ブラケット本体３の正面に位置する内壁面４の一端部側には、幅広な係入孔５が開設されている。また、その下方位置には上下方向に所定間隔を有して一対の取付孔６、６が設けられている。ブラケット本体３の背面側一端部には、図３に示すように、丸棒状の手摺り棒５０が挿着される円筒状部７が設けられている。この手摺り棒５０は同図の如く、その先端面に前記取付孔６、６に挿通したタッピングネジ８を締着して固定される。
【００２０】
ブラケット本体３の開口部２の底面９には、図２（ｂ）に示すように、３個の固定孔１０が設けられている。また、中央前方位置には所定の幅を有する溝部１１が形成され、その奥部には奥部側程高く傾斜する傾斜面部１２を介して、凸状の係止部１３が連設されている。ブラケット本体３の他端部には、図３に示すように、壁面Ａに固定される円筒形状の筒状部１４が設けられている。また、この筒状部１４には、前記固定孔１０に連通する円孔１５を備えた複数の筒体１６が設けられており、かかる筒体１６は軸方向（図３の上下方向）に所定長さを確保して形成されている。具体的には、筒体１６の長さは、固定孔１０及び円孔１５に挿通されるタッピングネジ１７の外径寸法の２倍以上となるように設定されている。
【００２１】
尚、ブラケット本体３の筒状部１４の背面側に位置する背面部１４ａは、図３に示すように、前記内壁面４を延長して形成されたものである。これにより、筒状部１４の強度が向上するために、壁面Ａとの良好な取付状態を長期に渡り維持することが可能となる。
【００２２】
カバー体３０の内面側一端部には、図３に示すように、前記ブラケット本体３の係入孔５に係脱自在な係入部３１が形成されている。また、カバー体３０の内面側他端部には、係入部３１をブラケット本体３の係入孔５に係入した状態で、ブラケット本体３の係止部１３に係止可能な凸部３２を先端部に有する係止片３３が設けられている。これら係入部３１及び係止片３３は、カバー体３０と一体成形して形成されたものである。
【００２３】
このカバー体３０は、必ずしもこのように合成樹脂で構成する必要はなく、金属で構成することも可能である。この場合は、図４に示すように、カバー体３０とは別体に形成された係止部材４０をカバー体３０に取付ける。かかる係止部材４０は、図５（ｂ）に示すように側面略Ｌの字状に形成されている。その一端部には、前記合成樹脂製の係止片３３と同様に、ブラケット本体３の係止部１３に係止可能な凸部４１を先端部に有する係止片４２が設けられている。また、他端部には同図（ａ）のように、先端部内面に係止爪４３を有する一対の挟持片４４、４４が対向して設けられており、合成樹脂からなっている。
【００２４】
一方、図４に示すように、カバー体３０の内面側他端部には、係止部材４０が取付可能な取付座４５が一体的に設けられている。この取付座４５は、前記係止部材４０の挟持片４４、４４により挟持される基端部４６と、その先端に他端部側（図４の下側）に向けて折曲形成された離脱防止部４７とからなっている。係止部材４０の挟持片４４、４４を取付座４５の基端部４６に対向させた状態で押圧することにより、係止部材４０をカバー体３０に簡単に取付けることができる。
【００２５】
このように、カバー体３０の材質の如何を問わず、カバー体３０のブラケット本体３への取付手段を統一することにより、一種類のブラケット本体３を共用することが可能になる。その結果、カバー体３０の材質に応じてブラケット本体３を別途製作する必要がなくなると共に、在庫管理の簡略化が図れることになる。
【００２６】
次に、かかる手摺りブラケット１を使用して壁面Ａに手摺り棒５０を設置する場合について説明する。この場合は、一対の手摺りブラケット１を使用するが、カバー体３０はブラケット本体３から取外しておく。
【００２７】
先ず、図３に示すように、一方のブラケット本体３の一端部側の円筒状部７に手摺り棒５０の一端部を挿着する。この状態で、ブラケット本体３の底面９に設けた各固定孔１０及び円孔１５にタッピングネジ１７を挿通し、これを壁面Ａに締着して固定する。この場合に於いて、円孔１５が形成された筒体１６は軸方向に所定長さを確保して形成されているために、これにタッピングネジ１７を挿通すると、タッピングネジ１７から手を離しても挿通状態は維持されることになる。従って、タッピングネジ１７の締着時に於いて、作業者はタッピングネジ１７を手で保持する必要がなくなり、現場での作業を効率的に行えることとなる。尚、壁面Ａには予めタッピングネジ１７用の下孔を開けておくのが好ましい。
【００２８】
次に、ブラケット本体３の内壁面４に設けた取付孔６、６にタッピングネジ８を挿通して締着し、手摺り棒５０をブラケット本体３の円筒状部７に固定する。尚、手摺り棒５０の他端部も同様にして他方のブラケット本体３に固定する。
【００２９】
その後、カバー体３０の係入部３１をブラケット本体３の係入孔５に係入した状態で、カバー体３０の他端部をブラケット本体３側に押圧すると、その係止片３３がブラケット本体３の傾斜面部１２により押圧されて撓み、係止片３３の凸部３２がブラケット本体３の係止部１３に係止される。このような極めて簡単に、カバー体３０をブラケット本体３の開口部２に取付けることができる。
【００３０】
一方、カバー体３０をブラケット本体３から取外す場合は、図１、図３及び図４に示すようにブラケット本体３に形成した溝部１１を利用すればよい。即ち、この溝部１１にドライバー等を挿入して、カバー体３０を手前側に押圧すれば、係止片３３，４２の凸部３２、４１とブラケット本体３の係止部１３との係止状態が解除されることになる。そして、カバー体３０の係入部３１をブラケット本体３の係入孔５から離脱すれば、カバー体３０を簡単に取外すことができる。よって、例えばタッピングネジ８、１７の締め直しや交換等も容易に行えるのである。
【００３１】
尚、上記実施形態に於いては、ブラケット本体３の他端部に筒状部１４を設けたが、かかる筒状部１４は必ずしも設ける必要はなく、省略しても構わない。この場合は、底面９を介して直接壁面Ａに固定すればよい。
【００３２】
また、カバー体３０を金属で構成する場合は、係止部材４０も金属で構成することも可能である。この場合、係止片４２は例えば弾性を備えた金属製のバネ片等で形成すればよい。
【００３３】
更に、上記実施形態では、ブラケット本体３をタッピングネジ８、１７により手摺り棒５０及び壁面Ａに固定しているが、かかる固定具は決してこれに限定されるものではない。例えば釘等を固定具として適用することも可能である。
【００３４】
その他、ブラケット本体３やカバー体３０の形状や材質等も本発明の意図する範囲内に於いて任意に設計変更自在である。
【産業上の利用可能性】
【００３５】
以上のように、本発明は、廊下や階段等の壁面に手摺り棒を取付ける手摺りブラケットについて有用である。
【図面の簡単な説明】
【００３６】
【図１】本発明に係る一実施形態を示し、（ａ）は手摺りブラケットの正面図、（ｂ）は側面図である。
【図２】同ブラケット本体を示し、（ａ）は正面図、（ｂ）は平面図である。
【図３】同手摺りブラケットの使用状態を示す断面図である。
【図４】他の実施形態に係る手摺りブラケットの使用状態を示す断面図である。
【図５】係止部材の一実施形態を示し、（ａ）は正面図、（ｂ）は側面図である。
【符号の説明】
【００３７】
２              開口部
３              ブラケット本体
５              係入孔
１３            係止部
１４            筒状部
１６            筒体
３０            カバー体
３１            係入部
３３、４２      係止片
４０            係止部材
５０            手摺り棒
Ａ              壁面
【図１】
2010070994.tif 000003
【図２】
2010070994.tif 000004
【図３】
2010070994.tif 000005
【図４】
2010070994.tif 000006
【図５】
2010070994.tif 000007